(57)【特許請求の範囲】
【請求項１】
（ａ）生分解可能物質から製作された管を用意し、そして
（ｂ）該管の一端に閉鎖花弁を形成する
ことを含んでいるタンポンアプリケーター用の改良された生分解可能な内部スリーブの製造方法であり、ここで該閉鎖花弁は柔軟性であり且つそれの末端部において該管の中心軸に向かって曲げられており、また、該閉鎖花弁は少なくとも１個の比較的短い長さの花弁を含んでおり、それにより内部スリーブが外部スリーブ内に引き込まれる時に吸収性綿撒糸の後方表面と噛み合うことを可能ならしめる、ことを特徴とする方法。
【請求項２】
生分解可能な物質から製作された管部分、および
該管部分の第一端部にある複数の閉鎖花弁
を含んでいる、外部スリーブおよび吸収性物質の綿撒糸を含む型のタンポン組み立て品用の内部スリーブであり、ここで該閉鎖花弁は柔軟性であり且つそれの末端部において該管の中心軸に向かって曲げられており、また、該閉鎖花弁は少なくとも１個の比較的短い長さの花弁を含んでおり、それにより内部スリーブが外部スリーブ内に引き込まれる時に吸収性綿撒糸の後方表面と噛み合うことを可能ならしめている、ことを特徴とする内部スリーブ。
【請求項３】
吸収性物質の綿撒糸、
該綿撒糸を含有するための内部スリーブ、および
該内部スリーブを滑動式に含有するための外部スリーブ
を含んでいる環境的に好都合のタンポン組み立て品であり、
ここで該内部スリーブは生分解可能な物質から製作されておりそしてそれの前進端部のところに該綿撒糸を押すための押し出し手段として柔軟な閉鎖花弁を有しており、該閉鎖花弁は少なくとも１個の比較的短い長さの花弁を含んでおり、ここで外部スリーブも生分解可能な物質から製作されており、該外部スリーブはそれの内表面に隣接配置されている中子を有しており、該内部スリーブが該外部スリーブに関して引き抜かれて該押し出し手段を該綿撒糸と係合させる時には該中子が該綿撒糸を適当な位置に保持するように構成され且つ配置され、それにより綿撒糸を月経用タンポンとして簡単に挿入することができるようなタンポン組み立て品。
【発明の詳細な説明】
【０００１】
【発明の背景】
【０００２】
【発明の分野】
本発明は、月経用タンポンを適当な位置に置くためのタンポンアプリケーターの分野に関するものである。特に、本発明はつぶすことができ、生分解可能な、そして水洗便所で流せる改良された環境的に好都合のタンポンアプリケーターに関するものである。
【０００３】
【先行技術の記載】
これまでに、月経用タンポンはアプリケーターを用いてまたは用いずに適用されそして使用されている。指状タンポンは腟腔中に手により挿入される。しかしながら、タンポンの挿入を容易にするため並びに快適性および随意性という目的のためにアプリケーターが使用されている。一般的には、タンポンアプリケーターは２個の別個の同心円性プラスチックまたはボール紙管からなっており、それらは互いに抜き差し可能な関係にある。大きい方の直径断面を有する管は外部スリーブと称されており、それは一般的にタンポン充填物すなわち綿撒糸を保有している。小さい方の直径を有する管は内部スリーブと称されており、そして普通は外部スリーブ内に綿撒糸の後方に配置されている。内部スリーブを使用して綿撒糸を使用中にアプリケーターから押し出す。
【０００４】
簡便性および随意性に関する理由のために、タンポンアプリケーターはできるだけ小さいことが望ましい。そのために、使用前に収納されている内部および外部スリーブを備えたアプリケーターデザインが参入してきている。そのようなデザインは米国特許番号４，２８６，５９５および４，４７９，７９１中に開示されている。そのようなデザインでは、内部スリーブが引き込まれている時には綿撒糸は外部スリーブに関して適当な位置に保持用部品または中子（ｔａｎｇ）により保持されている。内部スリーブが引き込まれた後に、タンポンが内部スリーブで押すことにより外部スリーブから腟腔中に押し出される。
【０００５】
上記で論じられているタンポンアプリケーターデザインは有効であり且つ簡便であることが証明されている。しかしながら、そのようなアプリケーターは共通して部分的にまたは完全にプラスチックスから製作されており、それらは生分解可能でなかったりまたは水洗便所で流せない。
【０００６】
先行技術においては、つぶすことができ、生分解可能であり且つ水洗便所で流せるタンポンアプリケーターに関する昔からのそしていまだ満たされていない要望が存在していることは明らかである。
【０００７】
【発明の要旨】
従って、本発明の一目的は生分解可能な物質から製作される改良された月経用タンポンアプリケーターを提供することである。
【０００８】
本発明の別の目的は使用後につぶすことができる月経用タンポンアプリケーターを製造することである。
【０００９】
本発明のさらに別の目的は安全に水洗便所で流せる物質から製作された改良された月経用タンポンアプリケーターを提供することである。
【００１０】
本発明によれば、（ａ）生分解可能物質から製作された管を用意し、そして（ｂ）該管の一端に閉鎖花弁を形成することを含んでいるタンポンアプリケーター用の改良された生分解可能な内部スリーブの製造方法であり、ここで該閉鎖花弁は柔軟性であり且つそれの末端部において該管の中心軸に向かって曲げられており、また、該閉鎖花弁は少なくとも１個の比較的短い長さの花弁を含んでおり、それにより内部スリーブが外部スリーブ内に引き込まれる時に吸収性綿撒糸の後方表面と噛み合うことを可能ならしめる、ことを特徴とする方法が提供される。
【００１１】
本発明によれば、また、生分解可能な物質から製作された管部分、および該管部分の第一端部にある複数の閉鎖花弁を含んでいる、外部スリーブおよび吸収性物質の綿撒糸を含む型のタンポン組み立て品用の内部スリーブであり、ここで該閉鎖花弁は柔軟性であり且つそれの末端部において該管の中心軸に向かって曲げられており、また、該閉鎖花弁は少なくとも１個の比較的短い長さの花弁を含んでおり、それにより内部スリーブが外部スリーブ内に引き込まれる時に吸収性綿撒糸の後方表面と噛み合うことを可能ならしめている、ことを特徴とする内部スリーブが提供される。
【００１２】
本発明によれば、さらに、吸収性物質の綿撒糸、該綿撒糸を含有するための内部スリーブ、および該内部スリーブを滑動式に含有するための外部スリーブを含んでいる環境的に好都合のタンポン組み立て品であり、ここで該内部スリーブは生分解可能な物質から製作されておりそしてそれの前進端部のところに該綿撒糸を押すための押し出し手段として柔軟な閉鎖花弁を有しており、該閉鎖花弁は少なくとも１個の比較的短い長さの花弁を含んでおり、ここで外部スリーブも生分解可能な物質から製作されており、該外部スリーブはそれの内表面に隣接配置されている中子を有しており、該内部スリーブが該外部スリーブに関して引き抜かれて該押し出し手段を該綿撒糸と係合させる時には該中子が該綿撒糸を適当な位置に保持するように構成され且つ配置され、それにより綿撒糸を月経用タンポンとして簡単に挿入することができるようなタンポン組み立て品が提供される。
【００１５】
本発明を特徴づけているこれらのおよび種々の他の新規な利点および特徴は特にここに記載されている特許請求の範囲で指摘されておりそしてそれの一部を構成している。しかしながら、本発明、それの利点、およびそれの使用により得られる目的をさらに良く理解するためには、本発明の他の部分を構成している図面および関連記載事項を参照すべきであり、そこには本発明の好適態様が説明および記載されている。
【００１６】
好適態様（類）の詳細な記載
次に図面を参照すると、そして特に図１Ａ−１Ｃ、２Ａ−２Ｅ、および３Ａ−３Ｃを参照すると、つぶすことができ、生分解可能なそして水洗便所で流せる改良されたタンポン組み立て品１２は、図３Ａ−３Ｃに示されているように、内部スリーブ１０、外部スリーブ１４並びに吸収性綿撒糸５２とひも５４を含む綿撒糸組み立て品を含んでおり、ここで同様な参照番号は全部の図面中で対応する構造を示している。
【００１７】
好適には、内部スリーブ１０および外部スリーブ１４の両者は生分解可能な水洗便所で流せる物質、好適には紙、から製作される。最も好適には、未使用のまたは再循環された多層紙物質が紙をベースにした接着剤と一緒に使用される。物質の外層は最も好適には挿入快適性を増すために滑らかな生分解可能な物質でコーテイングされている。そのようなコーテイング物質はポリビニルアルコール、例えばＩＣＩリミテッドからバイオポル商標で市販されているようなＰＨＢＶ、例えばワーナー−ランバートからノボン商標で市販されているような澱粉、ノバモントから商品名マーターＢｉで市販されているような分解された澱粉、ポリエチレングリコール、または例えば蜜蝋の如き天然コーテイング剤であることができる。
【００１８】
次に図１Ｃを参照すると、内部スリーブ１０は第一端部１８および第二端部２０を有する管１６から形成されている。環２２が管１６の第二端部２０の上に形成されており、使用者用の握り表面を供しており、それは以下でさらに詳細に記載されている。図１Ｃおよび３Ａに最も良く示されている如く、複数の花弁２４が管１６の中心軸に向かって内側に曲げられている。図１Ｃに示されている如く、花弁２４は多数の比較的長い花弁２８および少なくとも１個の比較的短い花弁２６を含んでいる。比較的短い花弁２６および比較的長い花弁２８の目的は以下でさらに詳細に記載されている。
【００１９】
図１Ａ−１Ｃは、本発明の好適態様に従う内部スリーブ１０の形成方法を描写している。最初に図１Ａを参照すると、生分解可能な水洗便所で流せる物質から製作された円筒状管１６が最初に用意される。図１Ａに示されている如く、管１６は第一端部１８および第二端部２０を有する。図１Ｂに示されている如く、握り環２２は管１６の第二端部の一部を巻き上げそして巻き上げられた部分を圧縮することにより形成されている。次に図１Ｃを参照すると、花弁２４を次に管１６の第一端部１８中でダイ−切断して、比較的短い花弁２６および比較的長い花弁２８を形成する。縦スロットを次に管１６の側壁中で切断する。縦スロットを規定している端部３０は図１Ｃに示されている。縦スロット３０の目的は、以下で図３Ａ−３Ｃに関連してなされているタンポン組み立て品操作の記載中に記されている。
【００２０】
図２Ｅを簡単に参照すると、外部スリーブ１４の好適態様は生分解可能な水洗便所で流せる物質から形成された管３２を含んでいる。外部スリーブ１４はさらに、管３２の第一上端部中に規定されている複数の花弁３６および管３２の第二下端部中に規定されているハンドル部分５０も含んでいる。外部スリーブ１４はさらに、管３２から管３２の中心軸３４に向かって内側に突出している内側に伸びている中子４８も含んでいる。
【００２１】
外部スリーブ１４を形成するのに好適な方法が図２Ａ−２Ｅに示されている。図２Ａに示されている如く、中心軸３４を有する生分解可能な水洗便所で流せる物質の管３２が用意される。図２Ｂに示されている如く、花弁３６は最初に管３２の第一上端部中でダイ−切断されている。ほぼ同時に、第一および第二の縦スリット３８、４０が管３２の外壁中で製造される。スリット３８、４０は管３２の外壁の厚さ全体にわたり製造され、そして好適には互いに関して且つ管３２の中心軸３４に関して平行である。第一および第二スリット３８、４０が製造された後に、複数の周囲刻み４２が管３２の外壁中に、スリット３８、４０の頂部から管３２の第二下端部３２に向かって規則的間隔で、製造される。周囲刻み４２は管３２の外壁の厚さ全部には伸びてはいないが、管３２を製造している物質を刻み４２の位置で折り易くするために製造されている。周囲刻み４０はさらに、スリット３８、４０の間の領域中には伸びていない。次に図２Ｄを参照すると、図２Ｃで描写されている管３２は静止支持ダイ４４および移動クリンプダイ４６を含んでいる形成用ダイ組み立て品中に置かれている。図２Ｄに示されている如く、低い方のクリンプダイ４６が静止ダイ４４に向かってあらかじめ決められた距離だけ移動し、それにより管３２の外壁が周囲刻み線４４に沿ってへこみを生じさせる。同時に、第一および第二スリット３８、４０の間に規定されている領域が折り目に沿って内側に折れ、ここで該折り目はその中に形成されている刻み線と一致しており、図２Ｅに示されている内側に伸びている中子４８を形成している。図２Ｅに示されている如く、管３２のつぶされた下方部分がハンドル部分５０を形成しており、それは中空でなく且つ滑らかにされておりしっかりした指握り区域となっている。
【００２２】
次に図３Ａ−３Ｃを参照すると、吸収性綿撒糸５２を内部スリーブ１０中に内部スリーブ１０の第二端部２０から第一端部１８に挿入することにより、タンポン組み立て品１２が形成されることがわかるであろう。綿撒糸５２はこのようにして内部スリーブ１０の第一端部１８のところで花弁２４の内部に収納され且つそれにより部分的に囲まれている。内部スリーブ１０および綿撒糸５２を次に外部スリーブ１４中に、外部スリーブ１４の中子４８が内部スリーブ１０の管１６の外壁中に規定されているスロット３０中に伸びるような方法で、挿入させる。そのような組み立て後に、中子４８は綿撒糸５２の下に配置されており、綿撒糸５２の底表面５３と噛み合っている。
【００２３】
タンポン組み立て品１２を使用するためには、使用者は最初に握り環２２により内部スリーブ１０の第二下端部２０を握りそして内部スリーブ１０を外部スリーブ１４から図３Ｂに描写されているような方法で引き抜く。これが起きるにつれて、綿撒糸５２は綿撒糸５２の底表面５３に向かって中子４８によりかけられている力により外部スリーブ１４に関して適当な位置に保たれるであろう。内部スリーブ１０が引き抜かれるにつれて、花弁２４は綿撒糸５２により外側に広がり、そして綿撒糸５２の底表面５３に達するまで綿撒糸５２の周囲で下方に引っ張られるであろう。この点で、図３Ｂに描写されているように、比較的短い花弁２６は再び内側に反りかえって綿撒糸５２の底表面５３の下の位置にくるであろう。この引き抜き点にきたら、使用者は次に外部スリーブ１４中に内部スリーブ１０を再挿入し始める。内部スリーブ１０の移動によりそれが外部スリーブ１４中に再挿入されるにつれて、比較的短い花弁２６により綿撒糸５２の底表面５３に対してかけられている圧力により、綿撒糸５２は上方に強制的に移動される。これにより、綿撒糸５２が外部スリーブ１４の花弁３６中に強制的に入れられて、綿撒糸５２を腟腔中に安全に且つ効果的に挿入することができる。
【００２４】
図４Ａ−４Ｆは、本発明の第二の好適態様に従う外部スリーブ５６の形成方法を描写している。最初に図４Ａを参照すると、空管５８が用意されており、それは上端部に形成されている複数の花弁６０を有する長方形部分および長方形部分の下端部から外側に伸びている突出部６２を含んでいる。突出部６２も実質的に長方形であるが、それはそれの上端部内に規定されているくぼみ６６およびアンカータブ６４を規定しているそれの下端部中に規定されている長方形のくぼみを有する。複数の垂直刻み線６８が突出部６２上に規則的な間隔で規定されている。刻み線６８は突出部６２の厚さ全体には伸びていない。図４Ｂを参照すると、突出部６２は最初に刻み線６８のところで折られて、突出部６２中で一連の交互隆起部分を形成している。突出部６２を次に上方に折って、図４Ｃに示されている如く、空管５８の残りと実質的に垂直にする。図４Ｄに示されている如く、アンカータブ６４を次に残りの空管５８に取り付ける。アンカータブ６４がそのようにしっかり結合された後に、突出部６２の残部は部分７０として残っており、図４Ｄに示されている如く、それは空管５８の表面から扇形になっている。空管５８を次に巻いて、図４Ｅに示されている如く、それの長方形部分が管中で形成される。ほぼ同時に、花弁６０は圧縮されて、このようにして形成された外部スリーブ５６の中心軸に向かって内側に曲げられる。突出部６２の扇形に広がった部分７０は従って、図４Ｅおよび４Ｆに示されている如く、内側に伸びている中子７２となる。
【００２５】
次に図５Ａ−５Ｂを参照すると、本発明の第三の好適態様に従う外部スリーブを形成するための空管７４がここに記載されている。図５Ａに示されている如く、空管７４は実質的に長方形であり、そしてそれの頂端部に形成されている複数の花弁７６を含んでいる。空管７４はそれの中心部分のところで切断されていて、中心空間部７８および中子形成部分８０を規定している。中子形成部分８０は、空管７４の厚さ全体中に伸びている一対のスリット８４、８６およびそれぞれ並んでいて且つスリット８４、８６の下に配置されている一対の刻み８８、９０により規定されている。図５Ｂを見る時に明きらかになる目的のために、切断部分９１、９３が空管７４の下端部のところに供されている。空管７４から外部スリーブを形成するためには、空管７４を刻み線８８、９０に沿って折り、面７８の反対側を規定している端部の上に面７８の一面上に規定されているタブ部分８２を配置させる。該方法では、中子形成部分８０が９５、９７のところで折られており、空管７４の表面から長方形の輪郭の中子９２を上昇させている。同時に、切断部分９１の間にある中子形成部分８０の部分９９が中子９２の表面９４を形成しており、該中子は折られた後に空管７４の表面で平らにされる。空管７４を次に接着剤の使用によりそれの折られた位置に保持することができ、そして次に図５Ｃに描写されている如く外部スリーブ１０１中で折ることができる。
【００２６】
次に図６Ａ−６Ｃを参照すると、本発明の第四態様に従う外部スリーブの形成方法は第一および第二形成用ダイ９８、１００の間に配置されている空の中子９６を使用する。図６Ｂに最も良く示されているように、ダイ９８、１００を一緒に強制して、中子挿入部１０２を形成する。中子挿入部１０２は一対の平らな表面１０３を含んでおり、その上に接着剤１０５が置かれている。該方法の好適態様に従うと、中子挿入部１０２は接着剤１０５の表面１０３に対する適用後に第二ダイ１００中に保持されている。第二ダイ１００を次に内部に規定されている花弁１０７を有する長方形の空管１０４に関して移動させる。第二ダイ１００を次に空管１０４に対して押すと、それにより中子挿入部１０２が空管１０４の内表面に接着する。空管１０４を次に管の中で巻いて本発明の第四態様に従う外部スリーブの製作を完了させる。
【００２７】
本発明の第五態様に従う外部スリーブの製作方法は図７Ａ−７Ｄに描写されている。図７Ａに示されている如く、空管１０６はそれの長方形部分上に形成されている複数の花弁１０８および長方形部分の下端部から伸びている突出部１１０を含んでいる。本発明のこの態様に従うと、図７Ｂに示されている如く突出部１１０は巻かれた突出部１１２中で巻き上げられている。図７Ｃに示されている如く、アンカータブ１１８を次に空管１０６の表面に接着させる。この方法により、巻き上げられた突出部１１２の残部が中子１１４として外側に突出する。空管１０６が次に管に形成されて、図７Ｄに示されている如く、本発明の第五態様に従う外部スリーブ１１６を形成する。
【００２８】
本発明の第六態様に従う外部スリーブの形成方法は図８Ａ−８Ｃに描写されている。本発明のこの態様に従うと、空管１２２は実質的に長方形であり、そしてそれの上端部上に複数の花弁１２４を含んでいる。空管１２２はそれの中心領域中で中子形成用部分１２８に沿って規定されている空間部１２６を含んでいる。図８Ｂに示されている如く、空間部１２６の各側の空管１２２の一部を一緒に引っ張って、１２８の中子形成用部分を内部ロールまたは管の中で形成することもできる。巻き上げ後に、中子形成部分１２８のローラー部分１２９は接着剤または他の適当な手段を用いて空管１２２にしっかり結合されて、図８Ｃに最も良く示されている如く、中子１３０を形成する。空管１２２を次に管中で巻いて本発明の第六態様に従う外部スリーブを形成する。
【００２９】
本発明の多数の特徴および利点を以上の記載中で本発明の構造および機能の詳細と共に示してきたが、この開示は説明用だけのものであり、そして特許請求の範囲が表示している言語の広い一般的な意味により示されている本発明の原則内に全体的に入るような部品の形、寸法および配置に関する変更を行えるということは理解すべきである。
【００３０】
本発明の主なる特徴および態様は以下のとおりである。
【００３１】
１．（ａ）生分解可能物質から製作された管を用意し、そして
（ｂ）該管の一端に閉鎖花弁を形成する
ことを含んでいるタンポンアプリケーター用の改良された生分解可能な内部スリーブの製造方法であり、ここで該閉鎖花弁は柔軟性であり且つそれの末端部において該管の中心軸に向かって曲げられており、また、該閉鎖花弁は少なくとも１個の比較的短い長さの花弁を含んでおり、それにより内部スリーブが外部スリーブ内に引き込まれる時に吸収性綿撒糸の後方表面と噛み合うことを可能ならしめる、ことを特徴とする方法。
【００３５】
２．さらに、外部スリーブの突出している中子を受けるための該管の側壁中にスロットを形成する段階も含んでおり、その中で該内部スリーブが適合するように構成され且つ配置されている、上記１の方法。
【００３６】
３．さらに、該花弁が上部に形成されている該第一端部と反対側にある該管の第二端部に縁を形成することも含んでいる、上記１の方法。
【００３７】
４．該縁形成段階が該管の一部を巻き上げることにより行われる、上記３の方法。
【００３８】
５．生分解可能な物質から製作された管部分、および
該管部分の第一端部にある複数の閉鎖花弁
を含んでいる、外部スリーブおよび吸収性物質の綿撒糸を含む型のタンポン組み立て品用の内部スリーブであり、ここで該閉鎖花弁は柔軟性であり且つそれの末端部において該管の中心軸に向かって曲げられており、また、該閉鎖花弁は少なくとも１個の比較的短い長さの花弁を含んでおり、それにより内部スリーブが外部スリーブ内に引き込まれる時に吸収性綿撒糸の後方表面と噛み合うことを可能ならしめている、ことを特徴とする内部スリーブ。
【００３９】
６．該管部分がタンポン組み立て品の外部スリーブの突出している中子を受けるための内部で規定されているスロットを有する、上記５の内部スリーブ。
【００４０】
７．該管が上部に花弁が形成されている該第一端部と反対側にある第二端部に縁を有する、上記５の内部スリーブ。
【００４１】
８．該管が水洗便所で流せる物質から製作されている、上記５の内部スリーブ。
【００４２】
９．該物質が紙を含んでいる、上記５の内部スリーブ。
【００７４】
１０．収性物質の綿撒糸、
該綿撒糸を含有するための内部スリーブ、および
該内部スリーブを滑動式に含有するための外部スリーブ
を含んでいる環境的に好都合のタンポン組み立て品であり、
ここで該内部スリーブは生分解可能な物質から製作されておりそしてそれの前進端部のところに該綿撒糸を押すための押し出し手段として柔軟な閉鎖花弁を有しており、該閉鎖花弁は少なくとも１個の比較的短い長さの花弁を含んでおり、ここで外部スリーブも生分解可能な物質から製作されており、該外部スリーブはそれの内表面に隣接配置されている中子を有しており、該内部スリーブが該外部スリーブに関して引き抜かれて該押し出し手段を該綿撒糸と係合させる時には該中子が該綿撒糸を適当な位置に保持するように構成され且つ配置され、それにより綿撒糸を月経用タンポンとして簡単に挿入することができるようなタンポン組み立て品。
【００７５】
１１．該内部および外部スリーブの両者が生分解可能であり且つ水洗便所で流せる物質から製作されている、上記１０のタンポン組み立て品。
【００７６】
１２．該内部および外部スリーブの両者が紙を含む物質から製作されている、上記１０のタンポン組み立て品。
【００７７】
１３．該外部スリーブが少なくとも１個の折り線のところで折られて該保持用中子を形成する、上記１０のタンポン組み立て品。
【００７８】
１４．該外部スリーブが該折り線のところであらかじめ刻みが付けられている、上記１３のタンポン組み立て品。
【００７９】
１５．該中子が該内部スリーブから集められている物質から製作されている、上記１０のタンポン組み立て品。
【００８０】
１６．該外部スリーブが内部に形成されている２個のスリットを有しており、該中子が該２個のスリットの間の物質から形成されている、上記１５のタンポン組み立て品。
【００８１】
１７．該外部スリーブが該スリットが伸びている方向に押され、そしてスリットの間に規定されている物質が折られて該中子を形成する、上記１６のタンポン組み立て品。
【００８２】
１８．該中子が、それ自身の上で折られている該管の突出部を含んでいるために、該突出部は該管の残部に隣接して集められており、ここで該突出部は管の内表面に対してそれの第一端部のところで平らにされており、それによりこのようにして形成された中子は管の残部から外側に離れて第一端部と反対側にある第二端部に向かって扇形となっている、上記１０のタンポン組み立て品。
【００８３】
１９．物質の片を該外側スリーブから取り出し、それにより該外側スリーブ中に底を有するスロットを規定し、そして該外側スリーブを折って該スロットの一方の側面上の物質を該スロットの第二の反対側上の物質に重ねて配置し、ここでこの折りがスロットの底からの物質から中子を形成し、ここで該中子は該外側スリーブの内表面から内側に伸びている、上記１０のタンポン組み立て品。
【００８４】
２０．この折りが、該スロットと並んでいて且つ該スロットの底と交差している２本の平行な折り線に沿っており、それにより生じた中子を角のとれた輪郭にする、上記１０のタンポン組み立て品。
【００８５】
２１．該中子が、それ自身の上で巻かれている該外側スリーブの突出部を含んでいるために、該突出部は該外側スリーブの残部に隣接して集められており、ここで該突出部は外側スリーブの内表面に対してそれの第一端部のところで平らにされており、それによりこのようにして形成された中子は外側スリーブの残部から外側に離れて第一端部と反対側にある第二端部に向かって扇形となっている、上記１０のタンポン組み立て品。
【００８６】
２２．物質の片を該外側スリーブから取り出し、それにより該外側スリーブ中に底を有するスロットを規定し、そして該スロットの底のところの物質を巻き上げて該スロットの一方の側面上の物質を該スロットの第二の反対側上の物質に重ねて配置し、ここでこの巻きがスロットの底からの物質から中子を形成し、ここで該中子は該外側スリーブの内表面から内側に伸びている、上記１０のタンポン組み立て品。
【００８７】
２３．該中子が該外側スリーブに接着剤でしっかり結合されている、上記１０のタンポン組み立て品。
【００８８】
２４．該管部分が、タンポン組み立て品の外部スリーブの突出している中子を受けるための内部で規定されているスロットを有する、上記１０のタンポン組み立て品。
【００８９】
２５．該管が該花弁が上部に供されている該第一端部と反対側にある第二端部のところに縁を有する、上記１０のタンポン組み立て品。
【図面の簡単な説明】
【図１】Ａ−Ｃは、本発明の好適態様に従う改良されたタンポンアプリケーター用の内部スリーブの製作を描写している。
【図２】Ａ−Ｅは、本発明の第一の好適態様に従うタンポン組み立て品用の外部スリーブの製作を描写している。
【図３】Ａ−Ｃは、それぞれ図１Ａ−Ｃおよび２Ａ−Ｅに描写されている内部および外部スリーブを使用するタンポン組み立て品の操作を描写している。
【図４】Ａ−Ｆは、本発明の第二の好適態様に従う外部スリーブの形成を描写している。
【図５】Ａ−Ｂは、本発明の第三の好適態様に従うタンポンアプリケーター用の外部スリーブの製作を描写しいる。
【図６】Ａ−Ｃは、本発明の第四の好適態様に従うタンポンアプリケーター用の外部スリーブの製作を描写している。
【図７】Ａ−Ｄは、本発明の第五の好適態様に従うタンポンアプリケーター用の外部スリーブの製作を描写している。
【図８】Ａ−Ｃは、本発明の第六の好適態様に従うタンポンアプリケーター用の外部スリーブの製作を描写している。
【図１】
0003626764.tif 000002
【図２】
0003626764.tif 000003
【図３】
0003626764.tif 000004
【図４】
0003626764.tif 000005
【図５】
0003626764.tif 000006
【図６】
0003626764.tif 000007
【図７】
0003626764.tif 000008
【図８】
0003626764.tif 000009